(57)【特許請求の範囲】
【請求項１】
伸縮可能な真空掃除機−吸込み管が、外管（１１）、軸線方向に延びる係止桟片（Ｒ）を持つ内管（１２）、係止桟片（Ｒ）に対して移動可能で係止凹所（１３）へ交互に係合する少なくとも１つの阻止体（２９）、少なくとも一部スリーブ状に構成されかつ軸線方向長さの少なくとも一部にわたって端部側を外管（１１）へ巻込まれる内管（１２）用案内挿入片（１４）、及び案内挿入片（１４）に取付けられてほぼ半径方向外方へ突出する保持突起（１８）を持ち、この保持突起（１８）が、操作握り（２０）の対向係止面及び対向案内面（３５）用の係止面及び案内面（３４）を持ち、操作握り（２０）の対向係止面が、外管（１１）に対してほぼ半径方向に向く係止送り運動により、保持突起（１８）の係止面で係止され、操作握り（２０）の対向案内面（３５）が、保持突起（１８）の案内面（３４）に沿って移動可能であり、かんぬき片（２６）により阻止体（２９）を鎖錠（２９）するか又は解錠するものにおいて、
ａ）操作握り（２０）の対向案内面（３５）が、外管（１１）の外周面（Ａ）に対して平行に、案内挿入片（１４）に取付けられる保持突起（１８）の案内面（３４）に沿って移動可能であり、
ｂ）保持突起（１８）の案内面（３４）が保持突起（１８）の係止面と同一であり、
ｃ）操作握り（２０）の対向案内面（３５）が、操作握り（２０）の対向係止面と同一であり、
ｄ）かんぬき片（２６）が摺動かんぬき片を形成し、
ｅ）かんぬき片（２６）が操作握り（２０）に取付けられ、
ｆ）かんぬき片（２６）が阻止体（２９）と直接共同作用する
ことを特徴とする、伸縮可能な真空掃除機−吸込み管。
【請求項２】
保持突起（１８）の案内面（３４）及び操作握り（２０）の対向案内面（３５）が外管（１１）の母線（３６，３７）の方向に延びていることを特徴とする、請求項１に記載の伸縮可能な真空掃除機−吸込み管。
【請求項３】
案内面（３４）及び対向案内面（３５）が、互いに係止される断面がほぼ係止かぎ状のリブ突起（３２，３３）により形成されていることを特徴とする、請求項１又は２に記載の伸縮可能な真空掃除機―吸込み管。
【請求項４】
それぞれ保持突起（１８）及び操作握り（２０）のリブ突起（３２，３３）が、外管（１１）に対してほぼ半径方向に設けられる主要面（３８，３９）を持つ、桟片状壁部分（１９，２１）の互いに逆向きの自由端に形成されていることを特徴とする、請求項３に記載の伸縮可能な真空掃除機―吸込み管。
【請求項５】
保持突起（１８）が互いに平行に設けられる２つの桟片状壁部分（１９）を持ち、これらの壁部分（１９）が操作握り（２０）の互いに平行に設けられる桟片状壁部分（２１）と共同作用することを特徴とする、請求項４に記載の伸縮可能な真空掃除機―吸込み管。
【請求項６】
操作握り（２０）の桟片状壁部分（２１）が、保持突起（１８）の桟片状壁部分（１）の外側を覆っていることを特徴とする、請求項４又は５に記載の伸縮可能な真空掃除機―吸込み管。
【請求項７】
保持突起（１８）の桟片状壁部分（１９）が、操作握り（２０）の桟片状壁部分（２１）の外側に覆っていることを特徴とする、請求項４又は５に記載の伸縮可能な真空掃除機―吸込み管。
【請求項８】
保持突起（１８）の両方の桟片状壁部分（１９）の互いに対応しかつ外管（１１）に対してほぼ半径方向に延びる少なくとも２つの短い終端面が、横壁部分（２２，２３）により互いに結合されていることを特徴とする、請求項５〜７の１つに記載の伸縮可能な真空掃除機―吸込み管。
【請求項９】
それぞれ保持突起（１８）及び操作握り（２０）の両方の桟片状部分（１９，２１）が、外管（１１）の母線（３６，３７）の方向に延びていることを特徴とする、請求項４〜８の１つに記載の伸縮可能な真空掃除機―吸込み管。
【請求項１０】
操作握り（２０）が、その中空側（２４）が外管（１１）の方へ向くほぼフード状摺動ボタンを形成していることを特徴とする、請求項１〜９の１つに記載の伸縮可能な真空掃除機―吸込み管。
【請求項１１】
操作握り（２０）の両方の桟片状壁部分（２１）がその内面（２４）から突出していることを特徴とする、請求項１０に記載の伸縮可能な真空掃除機―吸込み管。
【請求項１２】
かんぬき片（２６）が操作握り（２０）と物質的に一体に結合されていることを特徴とする、請求項１〜１１の１つに記載の伸縮可能な真空掃除機―吸込み管。
【請求項１３】
かんぬき片が操作握り（２０）の内面（２４）から突出するかんぬき突起（２６）であり、このかんぬき突起（２６）の外管（１１）に面する端面が、阻止体（２９）の対向かんぬき面（２８）と共同作用するかんぬき面（２７）を形成していることを特徴とする、請求項１〜１２の１つに記載の伸縮可能な真空掃除機−吸込み管。
【請求項１４】
かんぬき突起（２６）が、操作握り（２０）の両方の桟片状壁部分（２１）の間に設けられていることを特徴とする、請求項１３に記載の伸縮可能な真空掃除機―吸込み管。
【請求項１５】
操作握り（２０）が、外管（１１）に関してかんぬき突起（２６）の軸線方向において前及び／又は後に、係止凹所（１３）との係合解除状態にある阻止体（２９）用の回避空間（３０，３１）を形成していることことを特徴とする、請求項１３又は１４に記載の伸縮可能な真空掃除機―吸込み管。
【請求項１６】
保持突起（１８）、外管（１１）及び／又は案内挿入片（１４）も、操作握り（２０）も少なくとも１つのばね部材（４１；４５，４６；４８）用の少なくともそれぞれ１つの支持体（２２，４４，５３；４３）を形成し、中立ばね位置でばね部材が、かんぬき片（２６）のかんぬき面（２７）を阻止体（２９）の対向かんぬき面（２８）と係合した状態に保ち、操作握り（２０）の操作によるかんぬき片（２６）の移動の際ばね部材が、戻し力を利用可能にすることを特徴とする、請求項１〜１５の１つに記載の伸縮可能な真空掃除機―吸込み管。
【請求項１７】
操作握り（２０）の各支持体（４３，４７，５０）が、その内面（２５）から突出するそれぞれ１つの突起により形成されていることを特徴とする、請求項１５又は１６に記載の伸縮可能な真空掃除機―吸込み管。
【請求項１８】
少なくとも１つのばね部材（４５，４６；４８）が、直径上で互いに逆向きの２つのばね戻し力を利用可能にすることを特徴とする、請求項１６又は１７に記載の伸縮可能な真空掃除機―吸込み管。
【請求項１９】
互いに逆向きの２つの戻し力を利用可能にするコイル圧縮ばね（４５，４６）が設けられていることを特徴とする、請求項１８に記載の伸縮可能な真空掃除機―吸込み管。
【請求項２０】
中立ばね位置から偏向可能な互いに逆向きの戻し力を利用可能にする棒ばね（４８）が設けられていることを特徴とする、請求項１８に記載の伸縮可能な真空掃除機―吸込み管。
【請求項２１】
阻止体（２９）が、案内挿入片（１４）により、内管（１２）に対してほぼ半径方向に案内されていることを特徴とする、請求項１〜２０の１つに記載の伸縮可能な真空掃除機−吸込み管。
【請求項２２】
案内挿入片（１４）に結合される保持舌片（５６）により、阻止体（２９）がほぼ半径方向に揺動可能に案内挿入片（１４）に枢着されていることを特徴とする、請求項２１に記載の伸縮可能な真空掃除機―吸込み管。
【発明の詳細な説明】
【０００１】
【発明の属する技術分野】
本発明は、請求項１の上位概念に記載されている伸縮可能な真空掃除機―吸込み管に関する。
【０００２】
【従来の技術】
ドイツ連邦共和国特許第１９９２４４５１号明細書から公知の伸縮可能な真空掃除機―吸込み管は、伸縮内管を案内するために、ほぼその軸線方向全長にわたって端部側を外管へ差込まれる案内挿入片を持ち、この案内挿入片が伸縮調節装置の構成部分をなしている。案内挿入片の外周面から外管の切欠きを通って、筒状保持突起がほぼ半径方向外方へ突出し、舌片により案内挿入片に枢着される阻止体用の回避空間を形成している。阻止体は内管の係止桟片の係止凹所へ交互に係合する。
【０００３】
半径方向外方へ回避空間に続いて、保持突起は更に鎖錠脚を有する曲げ阻止を収容し、曲げ素子に荷重のかからない状態でこれらの鎖錠脚により、阻止体がその鎖錠位置から回避空間へ達するのを阻止される。操作圧力を及ぼす際、操作突起を持つ押しボタンが曲げ素子へ作用する。それにより曲げ素子の弾性曲げ変形及び鎖錠脚の拡開が起こり、それにより阻止体用回避空間が開かれ、従って阻止体が解錠される。
【０００４】
ドイツ連邦共和国特許第１９９２４４５１号明細書によりほぼ筒状に構成される保持突起は、互いに対向する２つの壁部分に、垂直に延びるそれぞれ２つの案内スリツトを持っている。各案内スリツトの互いに対向して縦方向に延びる内側面は案内面を形成し、半径方向外方にかつ案内面の間に設けられて横方向に延びる各案内スリツトの短い内側面は、係止面を形成している。
【０００５】
押しボタンとして構成される操作握りは、操作板に、それぞれ案内脚を有する４つの案内足を持っており、この案内脚の側面が、保持突起の案内スリツトの案内面と共同作用する対向案内面を形成している。対向案内面に対して直角に延びて半径方向外方へ向く案内脚の面は、案内スリツトの横に延びる前述の短い内側面（係止面）とスナツプ係止するように共同作用する対向係止面を形成している。
【０００６】
ドイツ連邦共和国特許１９９２４４５１号明細書により公知の伸縮可能な真空掃除機吸込み管の利点は、とりわけ案内挿入片に取付けられ即ち物質的に一体に結合される保持突起が、押しボタンに関連して伸縮装置を全周にわたって包囲する操作スリーブを不要にすることである。他方公知の装置は、比較的多数の部材のため及びそれに伴う製造費用及び組立て費のため、改善を要するものと感じられる。
【０００７】
【発明が解決しようとする課題】
ドイツ連邦共和国特許１９９２４４５１号明細書による公知の伸縮可能な真空掃除機吸込み管から出発して、本発明の基礎になっている課題は、公知の装置を発展させて、簡単な操作可能性と共に公知のものに対して僅かな製造費及び組立て費を可能にすることである。
【０００８】
【課題を解決するための手段】
この課題は本発明により次の特徴によって解決される。
ａ）操作握りの対向案内面が、外管の外周面に対して平行に、案内挿入片に取付けられる保持突起の案内面に沿って移動可能であり、
ｂ）保持突起の案内面が保持突起の係止面と同一であり、
ｃ）操作握りの対向案内面が、操作握りの対向係止面と同一であり、
ｄ）かんぬき片が摺動かんぬき片を形成し、
ｅ）かんぬき片が操作握りに取付けられ、
ｆ）かんぬき片が阻止体と直接共同作用する。
【０００９】
本発明によれば、かんぬき片が摺動かんぬき片を形成し、この摺動かんぬき片の操作握りの対向案内面が、外管の外周面に対して平行に、案内挿入片に取付けられる保持突起に沿って移動可能である。
【００１０】
このことは、本発明による操作握りが基本的に任意の方向にただし外管の外周面に対して平行に案内可能であることを意味し、他の可能な実施形態のほかに、特に有利な実施形態は、案内面及び対向案内面が外管の母線の方向従って外管に関して軸線方向に延びていることを特徴としている。
【００１１】
本発明により、一方では保持突起の案内面が保持突起の係止面と一致し、他方では、操作握りの対向案内面が操作握りの対向係止面と一致していることによって、著しい構造的簡単化が行われる。
【００１２】
ドイツ連邦共和国特許第１９９２４４５１号明細書とは異なり、かんぬき片が操作握りに取付けられていることによって、付加的な簡単化が行われる。本発明による好ましい実施形態は、かんぬき片及び操作握りが一体の特に物質的に一体の部材を形成していることである。
【００１３】
ドイツ連邦共和国特許第１９９２４４５１号明細書とは異なり、本発明によりかんぬき片がほぼ間接ではなく、むしろ直接に阻止体と共同作用することによって、別の簡単化が行われる。
【００１４】
本発明の別の構成では、案内面及び対向案内面が、互いに係止される断面がほぼ係止かぎ状のリブ突起により形成されている。この場合それぞれ保持突起及び操作握りのリブ突起が、外管に対してほぼ半径方向に設けられる主要面を持つ、桟片状壁部分の互いに逆向きの自由端に形成されている。
【００１５】
保持突起と操作握りとの実際上分離不可能な係止取付けに伴う非常に良好な案内は、本発明の別の実施形態により、保持突起が互いに平行に設けられる２つの桟片状壁部分を持ち、これらの壁部分が操作握りの互いに平行に設けられる桟片状壁部分と共同作用することによって、行われる。
【００１６】
この場合、操作握りの桟片状壁部分が、保持突起の桟片状壁部分の外側を覆っている。
【００１７】
本発明の付加的な構成では、操作握りが、その中空側が外管の方へ向くほぼフード状摺動ボタンを形成している。
【００１８】
このフード状摺動ボタンは調整装置の若干の機能素子を含んでいる。例えば摺動ボタンは、フード状摺動ボタンの内面から突出する操作握りの両方の桟片状壁部分を形成している。更にかんぬき片がフード状摺動ボタンの内面から突出するかんぬき突起であり、このかんぬき突起の外管に面する端面が、阻止体の対向かんぬき面と共同作用するかんぬき面を形成していることによって、かんぬき片が操作握りに物質的に一体に結合されている。
【００１９】
更に操作握りが、外管に関してかんぬき突起の軸線方向において前及び／又は後に、係止凹所との係合解除状態にある阻止体用の回避空間を形成している。
【００２０】
最後に保持突起、案内挿入片及び操作握りの本発明による組合わせは、１つの方向における操作握りの操作も。２つの互いに逆向きの方向における操作握りの操作も可能にする。このため本発明によれば、保持突起、外管及び／又は案内挿入片も、操作握りも少なくとも１つのばね部材用の少なくともそれぞれ１つの支持体を形成し、中立ばね位置でばね部材が、かんぬき片のかんぬき面を阻止体の対向かんぬき面と係合した状態に保ち、操作握りの操作によるかんぬき片の移動の際ばね部材が、戻し力を利用可能にする。
【００２１】
なお操作握りの各支持体も、フード状摺動ボタンの内面から突出するそれぞれ１つの突起により形成されている。
【００２２】
若干の機能素子と共にまとまった一体の部材に構成されることができる本発明によるフード状摺動ボタンは、更に特別なやり方で装飾部材として適しているが、ドイツ連邦共和国特許第１９９２４４５１号明細書によれば、調節装置では、別々の装飾又は被覆部材が存在し、付加的な組立て過程で保持突起上に係止されねばならない。
【００２３】
本発明のそれ以外の特徴は、付加的な従属請求項からわかる。
【００２４】
図面には、本発明の好ましい実施例が示されている。
【００２５】
【実施例】
以下に異なる実施例が示している限り、実体的な相違にもかかわらず互いに類似な特徴は同じ符号を付けられている。
【００２６】
図面には、伸縮可能な真空掃除機―吸込み管１０の軸線方向部分範囲が示され、その縦中心軸線はＭで示されている。伸縮可能な真空掃除機―吸込み管１０は、外管１１と、この外管１１に軸線方向に一部収容されかつ係止凹所１３を備えた内管１２とを持っている。プラスチツクから成る案内挿入片１４は、端部側を外管１１へ差込まれ、フランジ１５により外管１１の隣接する端面１６に支持されている。
【００２７】
内管１２に沿って軸線方向に設けられる複数の係止凹所１３が係止桟片Ｒを形成している。
【００２８】
外管１１は軸線方向に延びる端部側通過切欠き１７を持ち、この通過切欠き１７を通って、案内挿入片１４に一体に形成された保持突起１８が半径方向外方へ延びている。
【００２９】
保持突起１８は、半径方向外方へ開くほぼ筒上の形状を持ち、保持突起１８の図１において観者に面する左の隅範囲は、図を明らかにするため切欠かれている。保持突起１８は互いに平行に設けられる２つの桟片状壁部分１９を持ち、これらの壁部分１９は、ほぼ同じ向きで互いに平行に設けられる操作握り２０の桟片状壁部分２１と共同作用する。
【００３０】
保持突起１８の両方の桟状壁部分１９の外管１１に対してほぼ半径方向に延びる端部側は、それぞれ横壁部分２２，２３により互いに結合されている。
【００３１】
保持突起１８の両方の桟状壁部分１９及び操作握り２０両方の桟片状壁部分２１は、外管１１の母線の方向即ち外管１１に関して軸線方向に延びている。
【００３２】
操作握り２０は、その中空側２４が外管１１へ向くほぼフード状の摺動ボタンを形成している。
【００３３】
操作握り２０の両方の桟片状壁部分２１は、操作握りの内面２５から突出している。
【００３４】
更にかんぬき突起２６として構成さえるかんぬき片が、操作握り２５の内面２５から突出している。かんぬき突起２６の外管１１に面した端面は、阻止体２９の対向かんぬき面２８と共同作用するかんぬき面２７を形成している。
【００３５】
かんぬき突起２６は、操作握り２０の両方の桟片状壁部分２１の間に設けられている。
【００３６】
操作握り２０は、外管１１に関して軸線方向におけるかんぬき突起２６の前に（図１〜５参照）回避空間３０を、図６〜１１によれば付加的に軸線方向においてかんぬき突起２６の後に別の回避空間３１を、係止凹所１３との係合解除状態にある阻止体２９のためにそれぞれ形成している。
【００３７】
調節運動の際、凹所１３との係合解除状態において、阻止体２９がどのように回避空間３０に存在するのかが、図５からわかる。
【００３８】
保持突起１８の桟片状壁部分１９も、操作握り２０の桟片状壁部分２１も、ほぼ係止かぎ状のリブ突起３２，３３を持っている。係止かぎ状リブ突起３２，３３は、同時に係止面又は対向係止面として役立つ案内面３４又は対向案内面３５を持っている。
【００３９】
従って案内面３４は保持突起１８の構成部分であり、一方対向案内面３５は操作握り２０の桟片状壁部分２１の両方の係止かぎ状リブ突起３３に属している。
【００４０】
ほぼ条片軌道状の案内面３４および同様にほぼ条片軌道状の対向案内面３５は、外管１１の外周面Ａに対して平行にに延びている。図示した実施例の場合、案内面３４及び対向案内面３５は外管１１の母線の方向に延び、これらの母線のうち２つの母線３６，３７が図１及び２に範例的に示されている。
【００４１】
桟片状壁部分１９，２１の主要面３８，３９は、外管１１に対してほぼ半径方向に延びている。
【００４２】
保持突起１８の桟片状壁部分１９は、操作握り２０の桟片状壁部分２１の外側を覆っている。
【００４３】
図１〜５の実施例では、保持突起１８の横壁部分２２は、同時にコイル圧縮ばね４１の支持体及び更に心出しほぞ４０を形成し、操作握り２０が操作面４２へ及ぼされる操作圧力Ｐにより方向Ｘに動かされる際、このコイル圧縮ばね４１がばね戻し力を利用可能にする。
【００４４】
図３におけるかんぬき突起２６の位置から始まって、方向Ｘに操作握り２０の運動が行われると、操作握り２０のかんぬき突起２６は、図４による解錠位置へ動く。それから操作圧力Ｐを維持しかつ内管１２を空間に固定して保持すると、内管１２に対して方向Ｘに外管１１の移動が行われ、阻止体２９が前にとっていた係止凹所１３から滑り出し、内管１２の外周面Ｂ上を滑って、最後に後続の係止凹所１３の１つに係合する。続いて操作圧力Ｐがなくなり、コイル圧縮ばね４１の戻し力が操作握り２０を方向Ｙに動かすと、同じように逆のやり方で図３による鎖錠が起こる。
【００４５】
図３〜５からわかるように、コイル圧縮ばね４１の支持体は、操作握り２０の側から、操作握り２０の内面２５から突出する突起４３により形成されている。
【００４６】
図６〜１１による実施例は、図１〜５に示す実施例とは、阻止体２９の解錠のため操作握り２０が戻し力に抗して方向Ｘにも方向Ｙにも動かされる点において、相違している。
【００４７】
両方向Ｘ及びＹにおける操作握り２０のこのような解錠を行うため、外管１１から突起４４が切抜かれて半径方向外方へ曲げられている（図６〜８参照）。このようにしてコイル圧縮ばね４５も対抗するコイル圧縮ばね４６も設けることが可能である。
【００４８】
コイル圧縮ばね４５は、一端を操作握り２０の支持体４３に支持され、他端を外管１１に形成された支持体としての突起４４に支持されている。
【００４９】
他方のコイル圧縮ばね４６は、一端を外管１１に形成された支持体４４に支持され、操作握り２０の内面２５から半径方向内方へ突出する他方の突起４７により形成される支持体に他端を支持されている。
【００５０】
図６〜８に示す実施例では、突起４７の軸線方向運動が妨げられないようにするため、壁部分２２がない。
【００５１】
両方のコイル圧縮ばね４５，４６が中立ばね位置にある図６の鎖錠状態から始まって、方向Ｘへの解錠が行われる場合、コイル圧縮ばね４５が圧縮され、従って戻し力を利用可能にし、場合によっては外管１１と内管１２との相対調節後、この戻し力がかんぬき突起２６を図による鎖錠位置へ戻させる。
【００５２】
逆に操作圧力Ｐが操作握り２０のかんぬき突起２６を方向Ｙ（図８）に動かすと、これはコイル圧縮ばね４６の戻し力に抗して行われ、操作圧力Ｐのなくなる際この戻し力が操作握り２０を再び図６の鎖錠位置へ移す。
【００５３】
図９〜１１による実施例では、互いに逆向きに作用する両方のコイル圧縮ばね４５，４６が、両方向Ｘ，Ｙに戻し力を与える棒ばね４８に代えられている。
【００５４】
棒ばね４８の曲げ範囲４９は、操作握り２０の内面２５から突出する連行爪５０に運動連結されている。この場合連行爪５０は棒ばね４８の曲げ範囲４９を包囲している。
【００５５】
棒ばね４８は、案内挿入片１４と同軸的でこれを部分的に包囲する円弧状ばねにより形成され、このばねの図９〜１１に一方だけ示されている両方のばね自由端５１は、案内挿入片１４の外周面５２の支持体５３に固定されている。支持体５３のうち同様に１つだけが図９〜１１に破線で示されている。
【００５６】
図９には、棒ばね４８の中立ばね位置が示されている。操作握り２０が方向Ｘに動かされても、方向Ｙに動かされても、棒ばね４８はそれぞれ戻し力を生じ、両方の戻し力は互いに逆向きである。
【００５７】
方向Ｘ及び方向Ｙにおける操作握り２０の移動はストツパにより制限されている。方向Ｘにおいて操作握り２０のストツパ５４は保持突起１８の横壁２３に当たる（図４，５，７及び１０参照）。
【００５８】
操作握り２０の移動が方向Ｙに行われると、操作握り２０のフード縁５５が外側から保持突起１８の壁部分２３へ当たる（図８及び１１）。
【００５９】
阻止体２９は、案内挿入片１４の壁から切抜かれた保持舌片５６により、案内挿入片１４に揺動可能に枢着されている（図５参照）。
【００６０】
案内挿入片１４及び操作握り２０はそれぞれ独立したプラスチツク射出成形部品を形成している。伸縮装置の回り止めのため、案内挿入片１４はほぼ半径方向内方へ突出する軸線方向案内リブ５７を持ち、この案内リブ５７が内管１２の軸線方向案内溝５８に外方へ係合する（図３〜１１参照）。
【００６１】
案内挿入片１４は、図示しないやり方で外管１１に沿う軸線方向移動を防止されている。案内挿入片１４と外管１１との間の回り止めは、外管１１の通過切欠き１７と保持突起１８との間にはまり合いが存在することによって行われる。
【図面の簡単な説明】
【図１】調節装置の一部を切欠いた伸縮可能な真空掃除機―吸込み管の斜視図を示す。
【図２】調節装置の内部構造素子を更に切り離して他の構造素子を見えるようにした図１と同じ実施例を示す。
【図３】鎖錠位置にある第１実施例を示す。
【図４】解錠位置にある図３の実施例を示す。
【図５】伸縮調節運動中における図３及び４の実施例を示す。
【図６】第２実施例を鎖錠位置で示す。
【図７】図６による実施例を第１の解錠位置で示す。
【図８】図６による実施例を第２の解錠位置で示す。
【図９】第３実施例を鎖錠位置で示す。
【図１０】図９による実施例を第１の解錠位置で示す。
【図１１】図９による実施例を第２の解錠位置で示す。
【符号の説明】
１０    伸縮可能な真空掃除機―吸込み管
１１    外管
１２    内管
１３    係止凹所
１４    案内挿入片
１８    保持突起
２０    操作握り
２６    かんぬき片
２９    阻止体
３４    案内面
３５    対向案内面
Ａ      外周面
Ｒ      係止桟片
【図１】
0003668968.tif 000002
【図２】
0003668968.tif 000003
【図３】
0003668968.tif 000004
【図４】
0003668968.tif 000005
【図５】
0003668968.tif 000006
【図６】
0003668968.tif 000007
【図７】
0003668968.tif 000008
【図８】
0003668968.tif 000009
【図９】
0003668968.tif 000010
【図１０】
0003668968.tif 000011
【図１１】
0003668968.tif 000012